【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
搬送される画像形成媒体に対して複数の色別の各インク液をそれぞれ噴出する複数のインクヘッド群を有する画像形成装置の位置決め構造において、
前記画像形成媒体を搬送する搬送機構と、
前記インクヘッド群を所定の間隔で略平行に配置し、前記搬送機構に対向した位置に離間して配置されるキャリッジと、
前記画像形成媒体の搬送姿勢を規制して前記画像形成媒体を前記搬送機構に導入するローラと、
前記キャリッジに一体的に設けられ、前記搬送機構における前記画像形成媒体の導入側に延出して前記ローラを回転可能に支持するキャリッジアームと、
前記キャリッジと前記搬送機構とに設けられ、相互の接触によって前記キャリッジと前記搬送機構との位置関係を規制する規制部と、
を具備したことを特徴とする画像形成装置の位置決め構造。
【請求項２】
前記キャリッジアームは、一方の端部を前記キャリッジの両側に固定し、他方の端部に前記ローラの軸両端を貫通させて軸支することを特徴とする請求項１記載の画像形成装置の位置決め構造。
【請求項３】
前記キャリッジアームの他方の端部は、ベアリングを介して前記ローラを軸支することを特徴とする請求項１記載の画像形成装置の位置決め構造。
【請求項４】
装置本体の両側に設けられ、少なくとも前記画像形成媒体の供給部及び排出部を支持する各第１のフレームと、
前記各第１のフレームの内側にそれぞれ設けられ、少なくとも前記キャリッジを支持する各第２のフレームと、
を有することを特徴とする請求項１記載の画像形成装置の位置決め構造。
【請求項５】
前記ローラの軸両端は、前記各第２のフレームに回転可能に軸支されていることを特徴とする請求項２又は４記載の画像形成装置の位置決め構造。
【請求項６】
前記各第１のフレームは、前記各第２のフレームの外側にそれぞれ設けられ、かつ前記各第２のフレームの各両端部は、前記各第１のフレームの各両端部に固定されていることを特徴とする請求項４記載の画像形成装置の位置決め構造。
【請求項７】
前記各第２のフレームに有する剛性は、前記各第１のフレームに有する剛性よりも高いことを特徴とする請求項４又は６記載の画像形成装置の位置決め構造。
【請求項８】
前記各第２のフレームと前記各第１のフレームの各両端部は、それぞれ各連結フレームによって連結されていることを特徴とする請求項４又は６記載の画像形成装置の位置決め構造。
【請求項９】
前記各連結フレーム上に、前記キャリッジを略水平に載置する各当接部を有することを特徴とする請求項８記載の画像形成装置の位置決め構造。
【請求項１０】
前記キャリッジは、当該キャリッジを前記各連結フレーム上の前記各当接部に当接させるためのキャリッジガイド機構を有することを特徴とする請求項９記載の画像形成装置の位置決め構造。
【請求項１１】
前記規制部は、前記ローラにより導入される前記画像形成媒体の搬送姿勢と、前記搬送機構により搬送される前記画像形成媒体の搬送姿勢とを略一致させるために、前記キャリッジと前記搬送機構との位置関係を規制することを特徴とする請求項１記載の画像形成装置の位置決め構造。
【請求項１２】
前記規制部は、少なくとも２つ設けられていることを特徴とする請求項１又は１１記載の画像形成装置の位置決め構造。
【請求項１３】
前記規制部の前記相互の接触は、嵌合又は当接であることを特徴とする請求項１記載の画像形成装置の位置決め構造。
【請求項１４】
前記規制部は、前記キャリッジ又は前記搬送機構のうちいずれか一方又は両方により相互に対向する方向へ略垂直に延出される棒状の部材と、
前記キャリッジ又は前記搬送機構のうちいずれか一方又は両方に形成される位置規制用の孔と、
を有することを特徴とする請求項１又は１１記載の画像形成装置の位置決め構造。
【請求項１５】
前記規制部は、前記キャリッジ又は前記搬送機構のうちいずれか一方又は両方により相互に対向する方向へ略垂直に延出される少なくとも先端部がくさび状の部材と、
前記キャリッジ又は前記搬送機構のうちいずれか一方又は両方により相互に形成される位置規制用の溝と、
を有することを特徴とする請求項１又は１１記載の画像形成装置の位置決め構造。
【請求項１６】
前記規制部は、前記キャリッジ及び前記搬送機構のそれぞれ対角位置に設けられていることを特徴とする請求項１４記載の画像形成装置の位置決め構造。
【請求項１７】
前記規制部は、前記キャリッジ及び前記搬送機構のそれぞれ対角位置に設けられていることを特徴とする請求項１５記載の画像形成装置の位置決め構造。
【請求項１８】
前記位置規制用の孔は、少なくとも２つ設けられ、一方の前記孔を前記棒状の部材と嵌合する形状に形成し、他方の前記孔を嵌合度を低くした長穴形状に形成したことを特徴とする請求項１４記載の画像形成装置の位置決め構造。
【請求項１９】
前記位置規制用の孔は、少なくとも水平方向に移動調整可能な位置調整機構を有することを特徴とする請求項１８記載の画像形成装置の位置決め構造。
【請求項２０】
前記位置規制用の溝は、少なくとも２つ設けられ、一方の前記溝が前記ローラの軸に対して略垂直に設けられていることを特徴とする請求項１５記載の画像形成装置の位置決め構造。
【請求項２１】
前記位置規制用の溝は、少なくとも水平方向に移動調整可能な位置調整機構を有することを特徴とする請求項１５記載の画像形成装置の位置決め構造。
【請求項２２】
前記キャリッジ又は前記搬送機構のうちいずれか一方又は両方を上下方向に移動し、前記キャリッジと前記搬送機構との相互の間隔を可変する昇降機構を有することを特徴とする請求項１記載の画像形成装置の位置決め構造。
【請求項２３】
画像形成媒体を搬送する搬送機構と、複数のインクヘッド群とを所定の間隔で略平行に配置し、かつ前記画像形成媒体を前記搬送機構に導入するローラを回転可能に支持するキャリッジアームを一体的に設けたキャリッジとを規制部の接触によって位置決めする第１の工程と、
前記第１の工程の後、前記画像形成媒体を前記ローラから前記搬送機構に導入し、前記搬送機構により前記画像形成媒体を搬送すると共に前記複数のインクヘッド群から各色別の各インク液を噴出して前記画像形成媒体に画像形成を行う第２の工程と、
前記第２の工程により画像形成された前記画像形成媒体上の前記各色の重色ずれを評価する第３の工程と、
前記重色ずれの前記評価結果に基づいて前記重色ずれが許容範囲内であれば、前記キャリッジと前記搬送機構との位置決め規制部の調整を終了し、前記重色ずれが許容範囲外であれば、前記キャリッジと前記搬送機構との位置決め規制部における再調整を行って前記第２の工程に戻る第４の工程と、
を有することを特徴とする画像形成装置の位置決め調整方法。
【手続補正２】
【補正対象書類名】明細書
【補正対象項目名】０００７
【補正方法】変更
【補正の内容】
【０００７】
本発明の態様のひとつである画像形成装置の位置決め構造は、搬送される画像形成媒体に対して複数の色別の各インク液をそれぞれ噴出する複数のインクヘッド群を有する画像形成装置の位置決め構造において、画像形成媒体を搬送する搬送機構と、インクヘッド群を所定の間隔で略平行に配置し、搬送機構に対向した位置に離間して配置されるキャリッジと、画像形成媒体の搬送姿勢を規制して画像形成媒体を搬送機構に導入するローラと、キャリッジに一体的に設けられ、搬送機構における画像形成媒体の導入側に延出してローラを回転可能に支持するキャリッジアームと、キャリッジと搬送機構とに設けられ、相互の接触によってキャリッジと搬送機構との位置関係を規制する規制部と、を具備したことを特徴とする。
【手続補正３】
【補正対象書類名】明細書
【補正対象項目名】０００８
【補正方法】変更
【補正の内容】
【０００８】
また、本発明の別の態様のひとつである画像形成装置の位置決め調整方法は、画像形成媒体を搬送する搬送機構と、複数のインクヘッド群とを所定の間隔で略平行に配置し、かつ画像形成媒体を搬送機構に導入するローラを回転可能に支持するキャリッジアームを一体的に設けたキャリッジとを規制部の接触によって位置決めする第１の工程と、第１の工程の後、画像形成媒体をローラから搬送機構に導入し、搬送機構により画像形成媒体を搬送すると共に複数のインクヘッド群から各色別の各インク液を噴出して画像形成媒体に画像形成を行う第２の工程と、第２の工程により画像形成された画像形成媒体上の各色の重色ずれを評価する第３の工程と、重色ずれの評価結果に基づいて重色ずれが許容範囲内であれば、キャリッジと搬送機構との位置決め規制部の調整を終了し、重色ずれが許容範囲外であれば、キャリッジと搬送機構との位置決め規制部における再調整を行って第２の工程に戻る第４の工程と、を有することを特徴とする。
【手続補正４】
【補正対象書類名】明細書
【補正対象項目名】０００９
【補正方法】変更
【補正の内容】
【０００９】
本発明によれば、画像形成中における画像形成媒体の搬送方向のずれを抑制し、色重ねにおける位置ずれが生じない画像形成装置の位置決め構造及びその位置決め調整方法を提供できる。
【手続補正５】
【補正対象書類名】図面
【補正対象項目名】図２
【補正方法】変更
【補正の内容】
【図２】
2005138371.tif 000001